(57)【特許請求の範囲】
【請求項１】
内部にケーブルの接続部を収納するクロージャであって、
前記ケーブルの接続部を挟んで互いに対向する向きで当接する二個一対の分割スリーブと、
前記分割スリーブ同士の当接部に介在されたシール部材と、を備え、
前記シール部材は、前記分割スリーブの一方に載置されたときに該分割スリーブからの脱落を防止する脱落防止部を有する長棒状の弾性体であり、その長棒状の少なくともいずれか一端が外部に露出する露出部を有し、
前記分割スリーブは前記シール部材を案内する溝を有することを特徴とするクロージャ。
【請求項２】
前記脱落防止部は、前記溝の側壁の外側と係合することを特徴とする請求項１に記載のクロージャ。
【請求項３】
前記露出部は、少なくともその一部に、その周囲に対して視覚的に識別可能な識別部を有することを特徴とする請求項１又は２に記載のクロージャ。
【請求項４】
前記脱落防止部は、前記シール部材と一体に形成されていることを特徴とする請求項１から３のいずれか一項に記載のクロージャ。
【発明の詳細な説明】
【技術分野】
【０００１】
本発明は、ケーブルの接続部を密閉するためのクロージャに関する。
【背景技術】
【０００２】
一般に、光ファイバーや電線、その他各種のケーブルは、外部からの衝撃等による破損や雨水等による接続障害、長期間の設置に伴う風化その他の環境変化から回線又は電線を保護するために絶縁体及び保護皮膜を有する。しかしながら、ケーブルの接続部は当該絶縁体及び保護皮膜を剥がれた状態となる。このため、当該接続部を覆い密封するクロージャが従来より用いられている（例えば特許文献１）。
【０００３】
クロージャは主に屋外に敷設されるケーブルの接続部を密閉して保護する。図７に示すように、一般に、クロージャ１００は箱体を二つに分割した形状の分割スリーブ１０２、１０３を用いる。二つの分割スリーブ１０２、１０３は、ケーブルの接続部Ｃを挟んで対向して配接される。この状態で、分割スリーブを取り巻くように設けられたステンレスバンド等の押圧部材（図示略）によって二つの分割スリーブ１０２、１０３を当接するよう押圧してクロージャ１００内に当該接続部を内包する。このとき、ケーブルＡ、Ｂをクロージャ１００内から導出するケーブル導出口との当接部分は、弾性体Ｇで覆われて密閉される。さらに、二つの分割スリーブ１０２、１０３の当接する長手方向の側縁部の間にはシール部材１１０が挟みこまれ、当該側縁部の隙間を密閉する。
【特許文献１】特開平１−３０８１１８号公報
【発明の開示】
【発明が解決しようとする課題】
【０００４】
上述のように、クロージャ１００はケーブルの接続部を密封することで当該接続部を保護する。しかしながら、二つの分割スリーブ１０２、１０３を圧接する際にシール部材１１０が二つの分割スリーブ１０２，１０３の間から脱落することがあるといった問題点があった。すなわち、シール部材１１０を脱落した状態でクロージャを取り付けると、クロージャ１００は密封されず、ケーブルの保護機能を損なうことになるからである。
【０００５】
本発明は、シール部材の脱落を防止することをその目的とする。
【課題を解決するための手段】
【０００６】
上記課題を解決するために、本発明は、内部にケーブルの接続部を収納するクロージャであって、前記ケーブルの接続部を挟んで互いに対向する向きで当接する二個一対の分割スリーブと、前記分割スリーブ同士の当接部に介在されたシール部材と、を備え、前記シール部材は、前記分割スリーブの一方に載置されたときに該分割スリーブからの脱落を防止する脱落防止部を有する長棒状の弾性体であり、その長棒状の少なくともいずれか一端が外部に露出する露出部を有し、前記分割スリーブは前記シール部材を案内する溝を有することを特徴とする。
【０００８】
好ましくは、前記脱落防止部は、前記溝の側壁の外側と係合することを特徴とする。
【００１０】
好ましくは、前記露出部は、少なくともその一部に、その周囲に対して視覚的に識別可能な識別部を有することを特徴とする。
【００１１】
好ましくは、前記脱落防止部は、前記シール部材と一体に形成されていることを特徴とする。
【発明の効果】
【００１４】
本発明によれば、脱落防止部が分割スリーブからのシール部材の脱落を防止する。これによって、クロージャの取り付け時にシール部材が脱落することがあるといった従来の問題点を解消でき、より信頼性の高いクロージャを提供可能となる。
また、脱落防止部はシール部材が一方の分割スリーブに載置されたときに該シール部材の脱落を防止する。つまり、脱落防止部がシール部材の脱落を防止するために載置される以外の要件を要しない。よって、クロージャの取り付け時に作業者はシール部材を一方の分割スリーブに載置して他方の分割スリーブを被せ、押圧部材によって二つの分割スリーブと該シール部材とを密接させるだけでよい。従って、クロージャ取り付け時における作業者の労力を大幅に軽減し、非常に容易に該取り付けを行うことが可能となる。
【発明を実施するための最良の形態】
【００１５】
以下、図１から図６を参照して本発明を実施するための最良の形態を詳細に説明する。なお、以下の形態はあくまで一例であり、本発明の実施の形態はこれに限定されないことは言うまでもない。
図１は本発明の実施の形態によるクロージャ１を示す斜視図である。図２は分割スリーブ３（後述）を外した状態を示す上面図である。クロージャ１は中が空洞の箱体であり、該箱体内にケーブルＡとケーブルＢとの接続部Ｃ（以下、単に「接続部Ｃ」とする）を収めて密封する。なお、以下の記載においてケーブルＡ，Ｂの延設方向に沿った方向をＸ軸方向とする。
クロージャ１は少なくとも、クロージャ１の箱体を形成する二つの分割スリーブ２、３と、二つの分割スリーブ２、３を外側から押圧して固定保持する三つのステンレスバンド２０と、分割スリーブ２，３の間に介在する「シール部材」としての二つのスリーブシールパッキン１０と、を備える。
【００１６】
二つの分割スリーブ２、３はそれぞれ、箱体をその長手方向の平面に沿って二つに等分した形状である。二つの分割スリーブ２、３の形状はほぼ同一である。ただし、分割スリーブ３は、側圧バルブ３ａ（後述）を有しており、分割スリーブ２は側圧バルブを有しない。
【００１７】
なお、以下の記載において、分割スリーブ２，３の分割ラインＬを有するクロージャ１の面部のうち、ケーブルＡ，Ｂを導出する導出口Ｅが設けられた側を導出面部、ケーブルＡ，Ｂの延設方向に沿う側を側面部とする。該導出面部は分割スリーブ２，３の導出面部２ｂ、３ｂによって構成され、該側面部は分割スリーブ２，３の側面部２ｃ、３ｃによって構成される。
【００１８】
ステンレスバンド２０は、分割スリーブ２，３によって形成される箱体の外周を取り巻くことが可能な形状のステンレス製の金具である。ステンレスバンド２０は、ネジ２１を締めることで分割スリーブ２，３を互いに近付くよう押圧する。また、該ステンレスバンド２０を箱体の外側で固定保持するように働く止め具である。図１に示すように、ステンレスバンド２０は、Ｘ軸方向に直行する向きで該箱体の外周の３箇所に設けられ、それぞれのネジ２１を締めることで分割スリーブ２，３による箱体形状を固定保持する。
【００１９】
図３に、クロージャ１の側面部の密閉構造を示す。この図３は、図１のＰ−Ｐ断面図である。クロージャ１の取り付け時、二つの分割スリーブ２，３は、接続部Ｃを挟んで対向して設けられ、二つの分割スリーブ２，３によって形成される箱体内に接続部Ｃを収める。このとき、二つの分割スリーブ２，３の両側面部２ｃ，３ｃの間すなわち分割スリーブ２，３の当接部にそれぞれスリーブシールパッキン１０を介在させる。この状態でステンレスバンド２０を取り付けてネジ２１を締めると、スリーブシールパッキン１０は二つの分割スリーブ２，３によって挟みこまれて双方の分割スリーブと密接する。当該密接により、スリーブシールパッキン１０は側面部２ｃと側面部３ｃとの間の分割ラインＬの隙間を密閉する。
【００２０】
一方、図１，２に示すように、ケーブルＡ，Ｂはクロージャ１の導出口Ｅから導出する。導出口Ｅは分割スリーブ２、３の導出面部２ｂ、３ｂに形成された半円状の切欠部が合わさって形成される。
図４に、導出口Ｅの密閉構造を示す。この図４は、図１のＱ−Ｑ部分断面図である。ケーブルＡ，Ｂと導出口Ｅとの間の隙間は導出口Ｅの内側の段差Ｆに合わせて各ケーブルに巻き回された弾性体Ｇによって塞がれる。この状態でステンレスバンド２０を取り付けてネジ２１を締めると、弾性体Ｇは二つの分割スリーブ２，３によって挟みこまれて双方の分割スリーブと密接する。当該密接により、スリーブシールパッキン１０はケーブルＡ，Ｂと導出口Ｅとの間の隙間を密閉する。
なお、図１に示すように、本実施の形態のクロージャ１は、両導出面部に二つの導出口Ｅを有し、各導出面部からそれぞれ二本のケーブルを導出可能な構成である。また、図１に示すように、各導出面部から導出されるケーブルが一本の場合には、使用しない導出口Ｅに弾性体の蓋Ｈを嵌め込むようにする。
【００２１】
クロージャ３の側圧バルブ３ａは、箱体内の空間と繋がる通気口である。クロージャ１の取り付け後、クロージャ１の取り付け作業者によって側圧バルブ３ａにガスポンプ（図示略）が接続され、クロージャ１の箱体内に不活性ガスが送り込まれる。クロージャ１の取り付け作業者は、当該ガスがクロージャ１から漏れ出さないことを確認することでクロージャ１の密閉を確認する検査を行う。側圧バルブ３ａは、当該検査のときを除いて蓋ネジ３０によって塞がれる。
【００２２】
なお、一般にクロージャ１の取り付け時には側圧バルブを有しない分割スリーブ２を接続部Ｃの下方に置き、接続部Ｃの上方から側圧バルブ３ａを有する分割スリーブ３を被せる方法を採る。以下は当該取り付け方法に基づいて記載する。
また、二つのスリーブシールパッキン１０２０はそれぞれ二つの分割スリーブ２、３の両側面部に挟まれるよう設けられるが、各スリーブシールパッキンと各側縁部との関係は同様であるので、以下ひとつのスリーブシールパッキン１０と一方の側面部について記載する。
【００２３】
図５に分割スリーブ２の側面部２ｃに載置されたスリーブシールパッキン１０及び脱落防止部１２（後述）を示す。この図５は、図２のＲ−Ｒ部分断面図である。スリーブシールパッキン１０は、各分割スリーブの側面部２ｃ、３ｃのＸ軸方向の長さよりも長い丸棒状の弾性体である。分割スリーブ２の側面部２ｃは、スリーブシールパッキン１０との当接面に溝２ｄを有する。溝２ｄは、スリーブシールパッキン１０を側面部２ｃ上に案内する。
【００２４】
スリーブシールパッキン１０は、溝２ｄからの脱落を防止する脱落防止部１２を有する。脱落防止部１２は、スリーブシールパッキン１０の軸方向に沿って設けられ、その断面形状がコの字形である。また、該コの字の３辺の中央の辺１２ａにスリーブシールパッキン１０が位置し、その丸棒形状がほぼ半分ずつ辺１２ａの両面に盛り上がる。
スリーブシールパッキン１０を溝２ｄに載置する際には、該コの字の内側に溝２ｄの側壁２ｅが位置するよう載置される。このとき、脱落防止部１２は溝２ｄの側壁２ｅの外側と係合し、スリーブシールパッキン１０の載置位置を溝２ｄ上で安定させる。
【００２５】
図６にクロージャ１取り付け時の脱落防止部１２付近の構成を示す。この図６は、図１のＰ−Ｐ部分断面図である。図６に示すように、溝２ｄの深さＴ１は、スリーブシールパッキン１０の外周と脱落防止部１２の辺１２ａの外周部との段差Ｔ２以下であることが望ましく、本実施の形態ではそのように設けられている。なお、段差Ｔ２は脱落防止部１２のコの字の内側の段差である。
また、図６に示すように、分割スリーブ３も分割スリーブ２と同様に、側面部３ｃのスリーブシールパッキン１０との当接面に溝３ｄを有する。溝３ｄの深さＴ３は、脱落防止部１２の丸棒状の外周と辺１２ａの外周部との段差Ｔ４以下であることが望ましく、本実施の形態ではそのように設けられている。なお、段差Ｔ４は脱落防止部１２のコの字の外側の段差である。
さらに、段差Ｔ２、Ｔ４の合計値は、深さＴ１、Ｔ３の合計値よりも大きいことが望ましく、本実施の形態ではそのように設けられている。
【００２６】
また、上述のような溝２ｄの深さＴ１と段差Ｔ２との関係及び溝３ｄと段差Ｔ３との関係により、クロージャ１の取り付け時に分割スリーブ２，３に挟まれるスリーブシールパッキン１０は、溝２ｄ、３ｄの底部２ｆ、３ｆに好適に押圧されて底部２ｆ、３ｆとの接点を密閉する。また、このとき脱落防止部１２は溝２ｄ、３ｄの側壁２ｅ，３ｅに押圧されず、その接点は密閉されない。
なお、本実施の形態では、上述のように脱落防止部１２は溝２ｄ、３ｄの側壁２ｅ，３ｅに押圧されず、その接点は密閉されないが、脱落防止部と側壁とが当接してもよい。また、脱落防止部と側壁との間の隙間が密閉されるよう設けてもよい。その場合、側壁によって脱落防止部が挟まれるが、その挟みこみによって溝の底部とスリーブシールパッキンとの密着が阻害されることがなく、かつ、脱落防止部が切断されないよう設けることが望ましい。また、二つの分割クロージャの溝部の側壁のうち、脱落防止部が間に介在しない部分については側壁が互いに当接してもよい。
【００２７】
なお、脱落防止部１２はスリーブシールパッキン１０と一体に形成されている。脱落防止部とスリーブシールパッキンとを一体成型にて製造する場合には、その全体が同一の材質で構成されるようにしてもよいし、脱落防止部が別部材の芯を少なくともその一部に含むよう設けてもよい。当該芯としては、例えばその断面形状がＬ字形状又はコの字状等の部材や、脱落防止部の形状に沿うよう配置した板状の部材等が挙げられる。また、スリーブシールパッキンに別部材の芯を少なくともその一部に含むよう設けてもよい。また、スリーブシールパッキン及び脱落防止部に設けられる別部材の芯が一体に形成されていてもよい。
また、図１に示すように、本実施の形態においては、脱落防止部１２はクロージャ１の取り付け時にステンレスバンド２０が固定される位置と重ならないよう設けられているが、脱落防止部の配接位置については本実施の形態に限定されることは言うまでもなく、スリーブシールパッキンの脱落を防止できればよい。
【００２８】
ところで、図７に示す従来のスリーブシールパッキン１１０の場合、取り付け後のクロージャ１００の外見は、スリーブシールパッキン１１０の有無によっては変化しない。このため、クロージャ１００を取り付ける作業者はクロージャの取り付け後にクロージャ１００の外観からスリーブシールパッキン１１０の有無を判別できない。よって、スリーブシールパッキン１１０の脱落があった場合でも気付きにくい。特に、スリープシールパッキン１１０がクロージャ１００の内側に脱落してしまった場合、その脱落に気付きにくい。
【００２９】
さらに、一般的にクロージャの取り付け作業は各種ケーブルの敷設や整備等に伴う作業であるので、当該敷設や整備等によって影響を受ける事業活動が行われていない時間帯、即ち夜間にその取り付け作業が行われることもある。この場合、クロージャの取り付け作業は夜間の屋外で行われることなる。従って作業環境は暗く、従来のクロージャ１００を用いた場合、スリーブシールパッキン１１０の脱落があった場合であってもその脱落に気付きにくい。
【００３０】
そこで、本発明の実施の形態のクロージャ１は、図１及び図２に示すように、脱落防止部１２のコの字形の一片である第１の露出部１２ｂをクロージャ１の取り付け後に外部に露出させ、クロージャ１の取り付け後に外部からスリーブシールパッキン１０の介在を視認可能としている。
【００３１】
なお、第１の露出部１２ｂの少なくとも一部に、その周囲の露出面に対して視覚的に識別可能な第１の識別部を設けてもよい。第１の識別部として、例えば当該一片全体を分割スリーブ２，３の色と異なる色で着色したり、当該一片の一部に視認性の高いマークを付加したりするものが考えられる。無論、視覚的に識別可能であればその実施の形態は上述に限らず、限定されない。
【００３２】
また、図１に示すように、クロージャ１の取り付け後、スリーブシールパッキン１０のＸ軸方向の両側の端部１０ａは外部に露出する。なお、図示されていないが、ケーブルＢが導出される側のスリーブシールパッキン１０の端部も端部１０ａと同様に露出している。よって、端部１０ａは「第２の露出部」として機能する。
【００３３】
また、端部１０ａにはその周囲に対して視覚的に識別可能な第２の識別部１１が設けられている。例えば、第２の識別部１１は両端１０ａ、１０ａを黄色のキャップで覆ったものであり、分割スリーブ２，３の外周面を黒色にすることで、色のコントラストを明確にすることができる。よって、スリーブシールパッキン１０の介在を視覚的に容易に確認することができる。
【００３４】
なお、クロージャ１は主として屋外の接続部Ｃを密閉保護するため、耐水性、耐候性その他の化学変化に対する耐性を有することが望ましい。このため、本実施の形態では、分割スリーブ２，３には繊維強化プラスチック（ＦＲＰ）を、弾性体Ｇ、弾性体の蓋Ｈにはポリイソブチレン（ブチルゴムともいう）やエチレンプロピレンジエンゴム（以下、ＥＰＤＭとする）を用いる。また、スリーブシールパッキン１０及び脱落防止部１２にはＥＤＰＭを用いる。上述の素材を用いることで、クロージャ１は良好な耐水性、耐候性その他の化学変化に対する耐性を有する。
また、キャップ１１にはプラスチック等の樹脂を用いているが、例えば両端１０ａ，１０ａにテープを巻き回す等の方法で第２の識別部を設けてもよい。この場合、テープは視認性の高い色（例えば分割スリーブの外周部が黒色の場合には黄色等）を有することが望ましい。
【００３５】
（本発明の実施の形態による作用効果）
上述の実施の形態によれば、脱落防止部１２が分割スリーブ２からのスリーブシールパッキン１０の脱落を防止する。これによって、クロージャの取り付け時にスリーブシールパッキンが脱落することがあるといった従来の問題点を解消でき、より信頼性の高いクロージャを提供可能となる。
また、脱落防止部１２はスリーブシールパッキン１０が分割スリーブ２に載置されたときにスリーブシールパッキン１０の脱落を防止する。つまり、脱落防止部１２がスリーブシールパッキン１０の脱落を防止するために、スリーブシールパッキン１０が載置される以外の要件を要しない。よって、クロージャ１の取り付け時に、作業者はスリーブシールパッキン１０を分割スリーブ２に載置して分割スリーブ３を被せ、ステンレスバンド２０によって二つの分割スリーブ２，３とスリーブシールパッキン１０とを密接させるだけでよい。従って、クロージャ１の取り付け時における作業者の労力を大幅に軽減し、非常に容易に該取り付けを行うことが可能となる。
【００３６】
さらに、分割スリーブ２の側面部２ｃは、スリーブシールパッキン１０との当接面に溝２ｄを有する。よって、分割スリーブ２にスリーブシールパッキン１０を載置したときに、溝２ｄは長棒状のスリーブシールパッキン１０を好適に案内し、その載置位置を一層安定させる。
【００３７】
さらに、脱落防止部１２は溝２ｄの側壁２ｅ，２ｅと係合する。よって、脱落防止部１２は溝部２ｄに案内されたスリーブシールパッキン１０の脱落を好適に防止する。
【００３８】
さらに、脱落防止部１２のコの字形の一片である第１の露出部１２ｂはクロージャ１の取り付け後に外部に露出する。よって、クロージャ１の取付を行う作業者は、第１の露出部１２ｂの露出を確認することで、クロージャ１の側面部を見た際にスリーブシールパッキン１０が分割スリーブ２，３の溝２ｄ，３ｄに沿って正しく介在するかどうかを容易に確認可能となる。
【００３９】
さらに、第１の識別部を設けることで、脱落防止部１２の外部への露出を容易に視認できる。従って、クロージャ１の側面部を見た際にスリーブシールパッキン１０が分割スリーブ２，３の溝２ｄ，３ｄに沿って正しく介在するかどうかを一層容易に確認可能となる。
【００４０】
さらに、脱落防止部１２はスリーブシールパッキン１０と一体に形成されている。よって、スリーブシールパッキン１０を製造する際に脱落防止部１２を有する形状で製造できる。従って、事後にスリーブシールパッキンに脱落防止部を設けるといった手間を要せず脱落防止の機能を有するスリープシールパッキンを得られる。
【００４１】
さらに、両端１０ａ，１０ａが外部に露出することで、クロージャ１の取り付けを行う作業者は該取り付け後に当該両端の露出を確認することでスリーブシールパッキン１０の分割スリーブ２、３の間の介在を確認できる。
【００４２】
さらに、本実施の形態の第２の識別部１１は黄色である。よって、夜間の屋外等暗い作業環境でも僅かな光で明確な視認性を得ることができる。従って、そのような環境でもクロージャ１の取り付け後にスリーブシールパッキン１０が分割スリーブ２、３の間に介在することを容易に視認できる。
【００４３】
（その他）
なお、本発明の特徴を逸脱しない範囲で上述とは異なる実施の形態をとってもよい。例えば、スリーブシールパッキンは丸棒状に限らず、その断面形状がラグビーボール形や楕円形、方形等の長棒状の弾性体であってもよい。また、各部の素材や色、形状等はあくまで一例であり、使用環境に応じて変更可能であることは言うまでもない。例えば、クロージャの形状は上述の実施の形態に限らず、多面体（例えば六面体等）や円筒形でもよい。また、二つの分割スリーブはクロージャの形状を二等分するものに限らず、不等分でもよい。また、上述の実施の形態ではスリーブシールパッキンの両端を覆うキャップを第２の識別部としているが、第２の識別部は視覚的に識別可能となればよく、例えば両端に何らかの着色を施すようにしてもよい。また、スリーブシールパッキン全体が分割スリーブに対して視覚的に識別可能な色を有していてもよい。この場合、脱落防止部及び両端も当該色となるので、当該色を有する第１の露出部は第１の識別部を、第２の露出部は第２の識別部を有することとなる。
【００４４】
また、脱落防止部の少なくとも一部を別部材とし、当該別部材をスリーブシールパッキンに固定装備する構成としてもよい。例えば、第１の露出部となる側の脱落防止部を別部材（例えば断面形状がＬ字形の部材）とし、そのＬ字の一方の端部をスリーブシールパッキンに固定するよう設ける構成が挙げられる。このとき、別部材のスリーブシールパッキンに固定する側の端部をより好適にスリーブシールパッキンに固定し、別部材のスリーブシールパッキンからの脱落を防止するため、当該端部に係止部を設けるようにしてもよい。係止部としては、例えばスリーブシールパッキンの内側に係止される突起や、当該端部がスリーブシールパッキンから抜け落ちることを防止する返し形状等が挙げられる。また、当該別部材は耐水性、耐候性その他の化学変化に対する耐性を有することが望ましい。別部材の素材としては、例えばステンレス等が挙げられる。この場合、ステンレスの金属光沢が第１の識別部として機能する効果も同時に生じる。無論、別部材の素材はステンレスに限らず、脱落防止部として機能するものであれば何でもよい。
【図面の簡単な説明】
【００４５】
【図１】本発明の実施の形態によるクロージャを示す。
【図２】分割スリーブ３を外した状態を示す。
【図３】クロージャの側面部の密閉構造を示す。
【図４】導出口の密閉構造を示す。
【図５】分割スリーブ２の側面部に載置されたスリーブシールパッキン及び脱落防止部を示す。
【図６】クロージャ取り付け時の脱落防止部付近の構成を示す。
【図７】従来のクロージャの構成を示す。
【符号の説明】
【００４６】
２、３      分割スリーブ
２ｄ，３ｄ    溝
２ｅ、３ｅ    側壁
１０          スリーブシールパッキン
１０ａ        端部
１１          第２の識別部
１２          脱落防止部
１２ｂ        第1の露出部
２０          ステンレスバンド
Ａ，Ｂ        ケーブル
Ｃ            接続部
Ｅ            導出口
Ｇ            弾性体
【図１】
0005137638.tif 000002
【図２】
0005137638.tif 000003
【図３】
0005137638.tif 000004
【図４】
0005137638.tif 000005
【図５】
0005137638.tif 000006
【図６】
0005137638.tif 000007
【図７】
0005137638.tif 000008